(57)【要約】【課題】接続相手の電子機器との接続を外されたことをデジタルインタフェース機能を利用して検出して接続異常の報知を行い、また、仮に盗難されても所定の電子機器との接続なしには動作しないようにすることで盗難の意欲を削ぎ、もって盗難を防止する。【解決手段】ｋｓｖ抽出／比較部１０２、２０２は、相手のＨＤＭＩ受信側機器との接続によってＨＤＣＰ認証が行われる度に、当該接続相手のＨＤＭＩ機器から送信される信号中から抽出した鍵ベクトルと不揮発性メモリ１０６、２０６に記憶されている正規の鍵ベクトルＢｋｓｖ、Ａｋｓｖとを比較する。接続相手のＨＤＭＩ機器が設定時と異なる他のＨＤＭＩ機器に変更された場合、ｋｓｖ抽出／比較部１０２、２０２は不一致の比較結果を出力し、出力許可スイッチ１０３及び１０５、入力許可スイッチ２０３及び２０５を制御してビデオ信号の出力又は入力を停止する。【選択図】図１
2012038183.tif 000002
【特許請求の範囲】
【請求項１】
映像信号処理機能及び音声信号処理機能のうち少なくともいずれか一方の処理機能を有し、かつ、デジタルインタフェースを備えた電子機器に搭載された盗難防止装置であって、
前記デジタルインタフェースにて接続された他の電子機器から送信された正規の鍵情報を前記デジタルインタフェースにより受信して、ＨＤＣＰによる認証を随時行う認証手段と、
防犯設定の有無を選択する防犯設定選択手段と、
受信した前記正規の鍵情報を不揮発性記憶部に記憶する記憶制御手段と、
前記防犯設定選択手段により前記防犯設定の有が選択されたときは、前記認証手段による認証毎に、前記不揮発性記憶部に記憶されている前記正規の鍵情報と同一の鍵情報を受信するか否かを判定し、前記正規の鍵情報と同一の鍵情報を受信したことを示す判定結果が得られないときは、前記処理機能の少なくとも一部を制限する動作制限手段と
を有することを特徴とする盗難防止装置。
【請求項２】
前記他の電子機器との間で前記デジタルインタフェースの規格に従って送受信する信号のうち、予め定めた信号が一定期間以上途絶したかどうかを監視する監視手段と、
前記監視手段により前記予め定めた信号が前記一定時間以上途絶したことを検出したときに、異常を示す情報を報知する報知手段と
を更に有することを特徴とする請求項１記載の盗難防止装置。
【請求項３】
前記予め定めた信号は、ＨＰＤ信号又は前記前記他の電子機器より供給される所定の電圧値の信号であることを特徴とする請求項２記載の盗難防止装置。
【発明の詳細な説明】
【技術分野】
【０００１】
本発明は盗難防止装置に係り、特にＨＤＭＩ（High-Definition Multimedia Interface）等のデジタルインタフェース規格を備えた電子機器の盗難を防止する盗難防止装置に関する。
【背景技術】
【０００２】
一般に公共の場所に設置されている、テレビジョン受像機や映像再生装置等の電子機器であるＡＶ機器は、従来は貨幣や貴金属と比較すると相対的に価値が低いため、盗難やいたずらの防止に対する対策が殆ど施されておらず、盗難の被害に遭うリスクが高い。しかし、幸いなことに、公共の場所に設置されているＡＶ機器は、テレビジョン受像機の場合、従来は重量の重いブラウン管テレビであって持ち去り難く、また映像再生装置であるビデオデッキも安価な物が多いことや、ＡＶ機器が設置されている公共の場所は役所や病院の待合室といった比較的限られた場所であったため、被害も軽微であった。
【０００３】
しかしながら、近年、テレビジョン受像機は薄型軽量化、画面の大型化が進み、また、映像再生装置はネットワークプレーヤや、ブルーレイレコーダ等高機能化が図られ、従来のブラウン管テレビやビデオデッキに比べるとかなり高価なものとなったため、被害に遭うリスクが飛躍的に高まってきた。更に、これら最新のＡＶ機器は、学校等の文教施設にも配置される様になり、被害に遭うリスクがより高くなっている。このため、ＡＶ機器の盗難防止技術が注目されるようになってきた。
【０００４】
図６は、従来の盗難防止装置の各例の説明図を示す。図６（Ａ）に示す盗難防止装置は、盗難防止対象のＡＶ機器１を収納するケース２と、そのケース２の蓋が開かないようにすることで、蓋を開けてケース２内からＡＶ機器１を第三者が不正に取り出すことを防止するための機械的な鍵３とから構成されている。
【０００５】
図６（Ｂ）に示す盗難防止装置は、机４上に置かれた盗難防止対象のＡＶ機器１に一端が固定されたワイヤ５と、ワイヤ５の他端を固定すると共に机４に固定設置された固定部６とから構成されている。この盗難防止装置は、切断困難な強固な構造のワイヤ５によりＡＶ機器１を机４上に固定し、ＡＶ機器１が第三者により机４の上から持ち去られるのを防止する。
【０００６】
また、従来知られている他の盗難防止装置には、例えば盗難防止対象のＡＶ機器に盗難防止のために接続されたワイヤの切断を電気的に検知したときに警報を発令する盗難防止装置がある（例えば、特許文献１参照）。この盗難防止装置は、盗難防止対象のＡＶ機器が取り付けられるべき対象物取付ユニットと、所定位置に固定されるべき警報ユニットと、対象物取付ユニットと警報ユニットを互いに機械的かつ電気的に連結するワイヤと、上記の対象物取付ユニット又は警報ユニットが取り外されたことを検知したとき、あるいはワイヤが切断されたことを電気的に検知したときに検知信号を出力する検知手段と、検知信号を受けて発鳴する発鳴装置とを備えている。
【先行技術文献】
【特許文献】
【０００７】
【特許文献１】特開平１０−１０５８４１号公報
【発明の概要】
【発明が解決しようとする課題】
【０００８】
しかしながら、図６（Ａ）、（Ｂ）に示す盗難防止装置は、比較的構成が簡単で盗難防止にとって十分ではない。また、特許文献１記載の盗難防止装置は、盗難防止対象のＡＶ機器に、別体の対象物取付ユニットを取り付ける必要があり、使い勝手が良くない。
【０００９】
また、設置済のＡＶ機器に対する盗難防止については、人の出入りがある時間を中心に考えればよいものの、決定的な防犯対策は無い。かといって、盗難防止対象のＡＶ機器を上回る高価な構成の盗難防止装置により盗難防止を行うのでは、本末転倒である。
【００１０】
本発明は以上の点に鑑みなされたもので、接続相手の電子機器との接続を外されたことをデジタルインタフェース機能を利用して検出して接続異常の報知を行い、また、仮に盗難されても所定の電子機器との接続なしには動作しないようにすることで盗難の意欲を削ぎ、もって盗難を防止する盗難防止装置を提供することを目的とする。
【課題を解決するための手段】
【００１１】
本発明は上記の目的を達成するため、映像信号処理機能及び音声信号処理機能のうち少なくともいずれか一方の処理機能を有し、かつ、デジタルインタフェースを備えた電子機器に搭載された盗難防止装置であって、デジタルインタフェースにて接続された他の電子機器から送信された正規の鍵情報をデジタルインタフェースにより受信して、ＨＤＣＰによる認証を随時行う認証手段と、防犯設定の有無を選択する防犯設定選択手段と、受信した正規の鍵情報を不揮発性記憶部に記憶する記憶制御手段と、防犯設定選択手段により防犯設定の有が選択されたときは、認証手段による認証毎に、不揮発性記憶部に記憶されている正規の鍵情報と同一の鍵情報を受信するか否かを判定し、正規の鍵情報と同一の鍵情報を受信したことを示す判定結果が得られないときは、処理機能の少なくとも一部を制限する動作制限手段とを有することを特徴とする。
【００１２】
また、上記の目的を達成するため、本発明は、他の電子機器との間でデジタルインタフェースの規格に従って送受信する信号のうち、予め定めた信号が一定期間以上途絶したかどうかを監視する監視手段と、監視手段により予め定めた信号が一定時間以上途絶したことを検出したときに、異常を示す情報を報知する報知手段とを更に有することを特徴とする。
【００１３】
ここで、上記の予め定めた信号は、ＨＰＤ信号又は他の電子機器より供給される所定の電圧値の信号であってもよい。
【発明の効果】
【００１４】
本発明によれば、接続相手の電子機器との接続を外されたことをデジタルインタフェース機能を利用して検出して接続異常の報知を行い、また、仮に盗難されても所定の電子機器との接続なしには動作しないようにすることで盗難の意欲を削ぐことができる。
【図面の簡単な説明】
【００１５】
【図１】本発明の盗難防止装置の一実施の形態のブロック図である。
【図２】ＨＤＭＩ（又はＤＶＩ）規格を備えた各種のＡＶ機器の一例の接続図である。
【図３】図１中の２つのＨＤＭＩ（ＨＤＣＰ認証）処理部の間を接続するＨＤＭＩケーブルで伝送される信号の一般的な内部構造説明図である。
【図４】ＨＤＣＰ認証の第１段階を説明するフローチャートである。
【図５】本発明の盗難防止装置の一実施の形態による相手機器の認識、設定及び動作制限の説明用フローチャートと、本発明の盗難防止装置の一実施の形態の防犯動作説明用フローチャートである。
【図６】従来の盗難防止装置の各例の説明図である。
【発明を実施するための形態】
【００１６】
次に、本発明の一実施の形態について図面を参照して説明する。
【００１７】
図１は、本発明になる盗難防止装置の一実施の形態のブロック図を示す。同図において、盗難防止装置１００と盗難防止装置２００とは、ＨＤＭＩ（High-Definition Multimedia Interface）ケーブル３００とアナログケーブル３１０とを並列に介して接続されている。
【００１８】
盗難防止装置１００は送信側の盗難防止装置で、公知のＨＤＣＰ認証処理を行うＨＤＭＩ（ＨＤＣＰ）認証処理部１０１、ＨＰＤ（Hot Plug Detect）信号を検出する電圧検出部１０４、アナログビデオ信号の出力許可を行う出力許可スイッチ１０５、秘密鍵に応じて一意に定まる機器固有ベクトル(ｋｓｖ:key selection vector)を記憶する不揮発性メモリ１０６、防犯設定を行う防犯設定制御／表示部１０７、警報音（警報表示）発生部１０８から構成されている。防犯設定制御／表示部１０７は、防犯設定のための物理的なスイッチやボタン、あるいは画面上に表示されたＧＵＩ(Graphical User Interface)ボタンと、表示部とからなる。更に、ＨＤＭＩ（ＨＤＣＰ）認証処理部１０１は、ｋｓｖ抽出／比較部１０２と、デジタルビデオ信号の出力許可を行う出力許可スイッチ１０３を含んでいる。なお、盗難防止装置１００に割り当てられたｋｓｖは、以下の説明では区別のためＡｋｓｖと表記するものとする。
【００１９】
一方、盗難防止装置２００は受信側の盗難防止装置で、公知のＨＤＣＰ認証処理を行うＨＤＭＩ（ＨＤＣＰ）認証処理部２０１、ＨＤＭＩ規格で伝送される＋５Ｖを検出する電圧検出部２０４、アナログビデオ信号の入力許可を行う入力許可スイッチ２０５、秘密鍵に応じて一意に定まる機器固有ベクトル(ｋｓｖ:key selection vector)を記憶する不揮発性メモリ２０６、防犯設定制御／表示部１０７と同様の構成により防犯設定を行う防犯設定制御／表示部２０７、警報音（警報表示）発生部２０８から構成されている。更に、ＨＤＭＩ（ＨＤＣＰ）認証処理部２０１は、ｋｓｖ抽出／比較部２０２と、デジタルビデオ信号の入力許可を行う入力許可スイッチ２０３を含んでいる。なお、盗難防止装置２００に割り当てられたｋｓｖは、以下の説明では区別のためＢｋｓｖと表記するものとする。
【００２０】
上記のｋｓｖ抽出／比較部１０２、出力許可スイッチ１０３及び１０５、並びに上記のｋｓｖ抽出／比較部２０２、入力許可スイッチ２０３及び２０５は、後述するように、正規の鍵情報の受信判定結果が得られないときに、搭載されている電子機器の映像信号処理機能及び音声信号処理機能の少なくとも一部を制限する動作制限手段を構成している。なお、以下の説明では、本発明になる盗難防止装置が、映像信号処理機能及び音声信号処理機能の両方を有する電子機器に搭載される例で説明するが、いずれか一方の機能のみを有する電子機器に搭載されても良い。
【００２１】
また、上記の不揮発性メモリ１０６及び２０６は、本発明の記憶制御手段により受信した正規の鍵情報が記憶される不揮発性記憶部を構成している。上記の防犯設定制御／表示部１０７及び２０７は、防犯設定の有無を選択する本発明の防犯設定選択手段を構成している。また、上記の警報音（警報表示）発生部１０８及び２０８は、異常を示す情報を報知する本発明の報知手段を構成している。
【００２２】
本発明になる盗難防止装置は、映像信号処理機能及び音声信号処理機能のうち少なくともいずれか一方の処理機能を有し、かつ、ＨＤＭＩやＤＶＩ（Digital Visual Interface）などのデジタルインタフェースを備えた電子機器（ＨＤＭＩ機器）であるＡＶ機器に用いられる装置であって、盗難防止装置１００及び２００のうちのどちらの構成であってもよい。なお、図１では、盗難防止装置１００は送信側のＡＶ機器に搭載され、盗難防止装置２００は受信側のＡＶ機器に搭載されるものとしている。
【００２３】
図２は、ＨＤＭＩ（又はＤＶＩ）規格を備えた各種のＡＶ機器の一例の接続図を示す。同図において、ソース機器１１、１２は、映像、音声の信号源となるＨＤＭＩ（又はＤＶＩ）規格を備えたＡＶ機器で、例えばＤＶＨＳ（登録商標）規格のデジタルビデオデッキ、ＤＶＤプレーヤ、ビデオディスクレコーダ（ＶＤＲ）、チューナ、ブルーレイレコーダなどがある。リピータ機器１３は、接続切替等を行うＨＤＭＩ（又はＤＶＩ）規格を備えたＡＶ機器で受信と送信の両方の機能を有し、例えばＡＶアンプ、ＡＶセレクタなどがある。シンク機器１４、１５は、映像表示や音声再生などを行うＨＤＭＩ（又はＤＶＩ）規格を備えたＡＶ機器で、例えばプラズマディスプレイ、液晶テレビ、ＩＬＡ(Image Light Amplifier)プロジェクタなどがある。
【００２４】
図２では、リピータ機器１３がソース機器１１及び１２の一方又は両方から送信された映像・音声信号を切り替えて、シンク機器１４又は１５に送信する。従って、ソース機器１１及び１２は送信側の盗難防止装置１００の搭載が可能であり、シンク機器１４及び１５は受信側の盗難防止装置２００の搭載が可能である。また、リピータ機器１３は、ソース機器１１、１２から送信された映像・音声信号を受信する受信部に受信側の盗難防止装置２００の搭載が可能であり、映像・音声信号をシンク機器１４、１５に送信する送信部に送信側の盗難防止装置１００の搭載が可能である。
【００２５】
図１に示すＨＤＭＩ（ＨＤＣＰ認証）処理部１０１は、ＨＤＭＩ規格を備えた送信側ＡＶ機器であるＨＤＭＩ送信側機器（ソース機器１１、１２や、リピータ機器１３の送信部）における処理部である。一方、図１に示すＨＤＭＩ（ＨＤＣＰ認証）処理部２０１は、上記のＨＤＭＩ規格を備えた受信側ＡＶ機器であるＨＤＭＩ受信側機器（シンク機器１４、１５や、リピータ機器１３の受信部）における処理部である。これらのＨＤＭＩ（ＨＤＣＰ認証）処理部１０１とＨＤＭＩ（ＨＤＣＰ認証）処理部２０１とは、ＨＤＭＩケーブル３００により接続されており、本発明のＨＤＣＰによる認証を随時行う認証手段を構成している。
【００２６】
図３は、ＨＤＭＩ（ＨＤＣＰ認証）処理部１０１とＨＤＭＩ（ＨＤＣＰ認証）処理部２０１との間を接続するＨＤＭＩケーブル３００で伝送される信号の一般的な内部構造説明図を示す。同図において、ＥＤＩＤ ＥＥＰＲＯＭ(Electrically Erasable and Programmable Read Only Memory)２１０は、受信側ＡＶ機器の映像フォーマット、音声フォーマット、色空間、スピーカ位置等の情報であるＥＤＩＤを記憶しているメモリであり、ＨＤＭＩ（ＨＤＣＰ認証）処理部２０１内に設けられている。
【００２７】
図３において、ライン３０１は、送信側のＨＤＭＩ（ＨＤＣＰ認証）処理部１０１より出力される「＋５Ｖ」の伝送ラインである。受信側のＨＤＭＩ（ＨＤＣＰ認証）処理部２０１は、このライン３０１が「＋５Ｖ」になると、送信側のＨＤＭＩ（ＨＤＣＰ認証）処理部１０１が接続されたことを検知する。また、この「＋５Ｖ」は、受信側ＨＤＭＩ機器の電源がオフのときに、送信側ＨＤＭＩ機器がＥＤＩＤ ＥＥＰＲＯＭ２１０に記憶されている情報ＥＤＩＤを読み出す時の電源や、送信側のＨＤＭＩ（ＨＤＣＰ認証）処理部１０１へ返すＨＰＤ信号の電源となる。
【００２８】
また、図３において、ライン３０２はＨＰＤ信号の伝送ラインである。送信側のＨＤＭＩ（ＨＤＣＰ認証）処理部１０１は、このＨＰＤ信号がハイレベルのとき、受信側のＨＤＭＩ（ＨＤＣＰ認証）処理部２０１が接続されたことを検知する。また、このＨＰＤ信号は、ＥＤＩＤ ＥＥＰＲＯＭ２１０に記憶されている情報ＥＤＩＤの読み出し許可信号にもなる。
【００２９】
また、ライン３０３はＳＣＬ信号やＳＤＡ信号を伝送するＤＤＣラインで、ＨＤＣＰ認証や受信機器の情報取得といった情報通信に用いられる。また、ライン３０４はデジタルビデオ信号を伝送するＴＭＤＳ０〜ＴＭＤＳ２のラインである。また、ライン３０５は、相手機器の制御の信号を送受信するＣＥＣラインである。
【００３０】
次に、このような公知のＨＤＭＩケーブル３００で伝送される信号に基づいて、ＨＤＭＩ（ＨＤＣＰ認証）処理部１０１とＨＤＭＩ（ＨＤＣＰ認証）処理部２０１との間で行われる公知のＨＤＣＰ認証の第１段階について説明する。図４は、このＨＤＣＰ認証の第１段階を説明するフローチャートである。ＨＤＣＰ認証は、ＤＤＣライン３０３で伝送される信号に基づいて行われる。
【００３１】
まず、ＨＤＭＩ（ＨＤＣＰ認証）処理部１０１は、このＨＤＭＩ（ＨＤＣＰ認証）処理部１０１が搭載されているＨＤＭＩ送信側機器固有の鍵ベクトルＡｋｓｖをＨＤＭＩ（ＨＤＣＰ認証）処理部１０１内の図示しない記憶部、または不揮発性メモリ１０６から取得する。また擬似乱数Ａｎを生成する（ステップＳ１）。続いて、ＨＤＭＩ（ＨＤＣＰ認証）処理部１０１は、擬似乱数Ａｎと４０ビットのデジタルデータである鍵ベクトルＡｋｓｖとをＤＤＣライン３０３を介してＨＤＭＩ（ＨＤＣＰ認証）処理部２０１へ送信する（ステップＳ２）。
【００３２】
一方、ＨＤＭＩ（ＨＤＣＰ認証）処理部２０１は、このＨＤＭＩ（ＨＤＣＰ認証）処理部２０１が搭載されているＨＤＭＩ受信側機器固有の鍵ベクトルＢｋｓｖをＨＤＭＩ（ＨＤＣＰ認証）処理部２０１内の図示しない記憶部、または不揮発性メモリ２０６から取得する。（ステップＳ３）。続いて、ＨＤＭＩ（ＨＤＣＰ認証）処理部２０１は、生成した４０ビットのデジタルデータである鍵ベクトルＢｋｓｖをＤＤＣライン３０３を介してＨＤＭＩ（ＨＤＣＰ認証）処理部１０１へ送信する（ステップＳ４）。
【００３３】
ＨＤＭＩ（ＨＤＣＰ認証）処理部１０１は、上記の鍵ベクトルＢｋｓｖを受信し、その受信鍵ベクトルＢｋｓｖと擬似乱数Ａｎとに基づいて演算結果Ｒ０を所定の演算式に基づいて生成する（ステップＳ５）。一方、ＨＤＭＩ（ＨＤＣＰ認証）処理部２０１は、上記の鍵ベクトルＡｋｓｖを受信し、その受信鍵ベクトルＡｋｓｖと擬似乱数Ａｎとに基づいて演算結果Ｒ０’を所定の演算式に基づいて生成する（ステップＳ６）。
【００３４】
続いて、ＨＤＭＩ（ＨＤＣＰ認証）処理部２０１は、生成した演算結果Ｒ０’をＤＤＣライン３０３を介してＨＤＭＩ（ＨＤＣＰ認証）処理部１０１へ送信する（ステップＳ７）。そして、ＨＤＭＩ（ＨＤＣＰ認証）処理部１０１は、生成した演算結果Ｒ０と受信した演算結果Ｒ０’とを照合する（ステップＳ８）。この照合が一致するとき認証成功と判断し、続いて、ＨＤＣＰ認証の公知の第２段階に進む。
【００３５】
上記のＨＤＣＰ認証で使用される機器固有の鍵ベクトルＡｋｓｖ及びＢｋｓｖは、認証の際にのみ用いられた後、消失する。本発明はこの機器固有の鍵ベクトルＡｋｓｖ及びＢｋｓｖを相手接続機器の固有識別子として使用するために不揮発性メモリ１０６、２０６に記憶しておき、機器の接続によってＨＤＣＰ認証が行われる毎に、この記憶した鍵ベクトルと比較することで、予め設定された機器同士が接続されていることを確認し、予め設定された機器が接続された時にのみ動作するように制限を行うものであり、以下、その詳細について図１及び図５のフローチャートを併せ参照して説明する。
【００３６】
図５（Ａ）は、本実施の形態の盗難防止装置に接続される相手機器の認識、設定及び動作制限の説明用フローチャート、図５（Ｂ）は、本実施の形態の盗難防止装置の防犯動作説明用フローチャートを示す。なお、本実施の形態の盗難防止装置１００と２００は、同様の動作を行うので、代表して盗難防止装置１００の動作について主として以下説明する。
【００３７】
まず、図５（Ａ）のフローチャートに示すように、盗難防止装置１００及び２００は、いずれも搭載されているＨＤＭＩ機器の電源が入れられて、図４に示したフローチャートに従ってＨＤＣＰ認証処理が行われて認証成功と判断されているものとする（ステップＳ１１）。
【００３８】
次に、盗難防止装置１００のＨＤＭＩ（ＨＤＣＰ認証）処理部１０１は、防犯設定制御／表示部１０７からの信号により、ユーザによって設定画面から防犯設定が選択されたかどうかを判定する（ステップＳ１２）。ＨＤＭＩ（ＨＤＣＰ認証）処理部１０１は、防犯設定が選択されたと判定すると、既に前もってパスワードが設定されているかどうかを判定する（ステップＳ１３）。このパスワードは、防犯設定を容易に解除されないように防犯設定制御／表示部１０７を用いて行われる。
【００３９】
ＨＤＭＩ（ＨＤＣＰ認証）処理部１０１は、防犯設定が選択されていないと判定した場合は、パスワード設定画面を開き、ユーザにパスワードを設定させる（ステップＳ１６）。一方、ステップＳ１３で防犯設定が選択されていると判定した場合は、防犯設定制御／表示部１０７の表示部に入力画面を開き、ユーザによって前もって設定されたパスワードを要求する（ステップＳ１４）。
【００４０】
続いて、ＨＤＭＩ（ＨＤＣＰ認証）処理部１０１は、ステップＳ１４の要求に基づいて正しいパスワードが入力された場合、又は、ステップＳ１６でパスワードを設定させた後、（１）「防犯設定のオン（ＯＮ）／オフ（ＯＦＦ）」、（２）「接続許可情報の更新」、（３）「戻る」の３つの項目からなるメニュー画面を上記の表示部に表示させる（ステップＳ１５）。
【００４１】
上記の３つの項目のうち、「防犯設定のＯＮ／ＯＦＦ」の項目が防犯設定制御／表示部１０７により選択された場合、ＨＤＭＩ（ＨＤＣＰ認証）処理部１０１は、それが防犯設定のＯＮかどうかを判定する（ステップＳ１７）。そして、防犯設定のＯＦＦが設定されていると判定した時には（ステップＳ１７のＯＦＦ）、上記のメニュー画面の表示を継続させる。また、「戻る」の項目が防犯設定制御／表示部１０７により選択された場合、防犯設定とは関係の無い通常の設定画面に戻す（ステップＳ１８）。一方、ＨＤＭＩ（ＨＤＣＰ認証）処理部１０１は、防犯設定制御／表示部１０７により「防犯設定のＯＮ」が選択されたと判定したとき（ステップＳ１７のＯＮ）、又は「接続許可情報の更新」の項目が選択されたと判定したときは、「現在接続されている機器との接続でのみ動作するように設定してもよいですか？」との問い合わせのメッセージを防犯設定制御／表示部１０７の表示部に表示させる（ステップＳ１９）。
【００４２】
そして、上記の問い合わせのメッセージに従い、防犯設定制御／表示部１０７により「いいえ」が選択された場合（ステップＳ２０の「いいえ」）、ＨＤＭＩ（ＨＤＣＰ認証）処理部１０１は、上記表示部に上記メニュー画面の表示を行わせる（ステップＳ１５）。一方、上記の問い合わせのメッセージに従い、防犯設定制御／表示部１０７により「はい」が選択された場合（ステップＳ２０の「はい」）、ＨＤＭＩ（ＨＤＣＰ認証）処理部１０１は、接続相手のＨＤＭＩ受信側機器の正規の鍵ベクトルのＢｋｓｖの値を不揮発性メモリ１０６に保存し、これ以降、この接続相手のＨＤＭＩ受信側機器と認証が通っていない状態では、設定画面を除く、映像や音声のコンテンツの出力を停止する（ステップＳ２１）。
【００４３】
ステップＳ２１において、盗難防止装置１００内の不揮発性メモリ１０６には、接続相手のＨＤＭＩ受信側機器からの鍵ベクトルＢｋｓｖが記憶される。一方、盗難防止装置２００内の不揮発性メモリ２０６には、盗難防止装置１００を搭載した接続相手のＨＤＭＩ送信側機器からの鍵ベクトルＡｋｓｖが記憶される。また、ステップＳ２１のコンテンツの出力停止は、出力許可スイッチ１０３によるデジタルビデオ信号の出力不許可と、出力許可スイッチ１０５によるアナログビデオ信号の出力不許可とからなる。
【００４４】
従って、本実施の形態の盗難防止装置１００によれば、現在接続されている相手機器との接続でのみ動作するように設定された場合は、その後にｋｓｖ抽出／比較部１０２が、相手のＨＤＭＩ受信側機器との接続によってＨＤＣＰ認証が行われる度に、当該接続相手のＨＤＭＩ受信側機器から送信される信号中から抽出した鍵ベクトルと不揮発性メモリ１０６に記憶されている正規の鍵ベクトルＢｋｓｖとを比較し、比較結果が一致であれば、接続相手のＨＤＭＩ受信側機器との送受信を正常に行う。これに対し、接続相手のＨＤＭＩ受信側機器が設定時と異なる他のＨＤＭＩ受信側機器に変更された場合、ｋｓｖ抽出／比較部１０２が不一致の比較結果を出力し、出力許可スイッチ１０３及び１０５を制御してデジタルビデオ信号の出力とアナログビデオ信号の出力とを停止する。
【００４５】
このため、盗難防止装置１００を搭載したＨＤＭＩ送信側機器が持ち去られて、そのＨＤＭＩ送信側機器が当初接続されていたＨＤＭＩ受信側機器とは異なる他のＨＤＭＩ受信側機器と接続された場合、ｋｓｖ抽出／比較部１０２から不一致の比較結果が出力されて、デジタルビデオ信号とアナログビデオ信号の出力が禁止されるので、盗難防止装置１００を搭載したＨＤＭＩ送信側機器の使用をできなくすることができる。
【００４６】
すなわち、盗難防止装置１００を搭載したＨＤＭＩ送信側機器は、当初接続されていたＨＤＭＩ受信側機器と一緒でないと使用できず、盗難防止装置１００を搭載したＨＤＭＩ送信側機器を盗難して別のＨＤＭＩ受信側機器を接続しても使用できないため、盗難者の盗難の意欲を削ぐことができ、結果的に盗難を防止することができる。
【００４７】
これは、盗難防止装置２００を搭載したＨＤＭＩ受信側機器が持ち去られた場合も同様である。ただし、盗難防止装置２００の場合は、ｋｓｖ抽出／比較部２０２から不一致の比較結果が出力されて、デジタルビデオ信号とアナログビデオ信号の入力が入力許可スイッチ２０３及び２０５により禁止されるので、盗難防止装置２００を搭載したＨＤＭＩ受信側機器の使用をできなくすることができる。
【００４８】
このように、本実施の形態によれば、ＨＤＣＰ認証で使用され、通常は認証後に消去される機器固有の鍵ベクトルｋｓｖを相手接続機器の固有識別子として使用するためにあえて不揮発性メモリ１０６、２０６に記憶しておくことで、機器の接続によってＨＤＣＰ認証が行われる毎に、この記憶した鍵ベクトルと受信した相手機器の鍵ベクトルとを比較するという、極めて簡単な構成により盗難を防止することができる。
【００４９】
なお、ＨＤＣＰ認証時に用いられる鍵ベクトルｋｓｖは、ある機器が不正を行った場合に所定の機関によりこの不正を行った機器の鍵ベクトルをＳＲＭ（System Renewability Message）と呼ばれるリストに載せられて公開されている。従って、ｋｓｖ抽出／比較部１０２、２０２は、ＨＤＣＰ認証時に受信した信号中から抽出した鍵ベクトルＢｋｓｖ、Ａｋｓｖが、上記のＳＲＭに登載されていない正規の鍵ベクトルであることを確認してから不揮発性メモリ１０６、２０６に記憶する機能を有することが望ましい。
【００５０】
次に、盗難防止装置１００、２００の防犯動作について図５（Ｂ）のフローチャートと共に説明する。
【００５１】
いま、送信側の盗難防止装置１００と受信側の盗難防止装置２００共に、電源が入れられ、防犯設定が有効になっているものとする（ステップＳ３１）。ステップＳ３１の防犯設定が有効になっているとは、ステップＳ２１の設定がなされていることを意味する。
【００５２】
続いて、動作状態だけでなく、維持状態においても、送信側であれば相手機器のＨＰＤ信号を、受信側であればＨＤＭＩ５Ｖを監視する（ステップＳ３２）。すなわち、送信側の盗難防止装置１００は、ステップＳ３２において受信側のＨＤＭＩ（ＨＤＣＰ）処理部２０１からＨＰＤ信号の伝送ライン３０２により伝送されるＨＰＤ信号が所定の電位であるかどうかを電圧検出部１０４により監視する。一方、受信側の盗難防止装置２００は、ステップＳ３２において送信側のＨＤＭＩ（ＨＤＣＰ）処理部１０１からライン３０１を介して送信される＋５Ｖを電圧検出部２０４により監視する。
【００５３】
続いて、盗難防止装置１００はＨＰＤ信号が５秒以上停止したかどうかを、また盗難防止装置２００は＋５Ｖが５秒以上停止したかどうかを判定する（ステップＳ３３）。盗難防止装置１００はＨＰＤ信号が５秒以上停止したとき、盗難防止装置２００は＋５Ｖが５秒以上入力されなかったときに、相手機器との接続が断たれたと判断して内蔵スピーカ（あるいはブザー）による警報音、それに加えて搭載されている機器の表示部に警告表示を行う（ステップＳ３４）。
【００５４】
すなわち、盗難防止装置１００の電圧検出部１０４は、ステップＳ３３において所定レベルのＨＰＤ信号が５秒以上停止したかどうかを判定し、５秒以上停止したときは接続相手のＨＤＭＩ受信側機器とのＨＤＭＩ接続がＨＤＭＩ受信側機器の盗難により断たれたと判断し、ステップＳ３４において警報音（警報表示）発生部１０８により警報音を表示し、異常状態を示す警報表示（視覚的威迫動作）を行う。
【００５５】
また、盗難防止装置２００の電圧検出部２０４は、ステップＳ３３において＋５Ｖが５秒以上停止したかどうかを判定し、５秒以上停止したときは接続相手のＨＤＭＩ送信側機器とのＨＤＭＩ接続がＨＤＭＩ送信側機器の盗難により断たれたと判断し、ステップＳ３４において警報音（警報表示）発生部２０８により警報音を表示し、異常状態を示す警報表示（視覚的威迫動作）を行う。
【００５６】
ＨＤＭＩ接続は、相手機器に再認証を促すために一時的（約１００msec強）に断たれることがあるため、本実施の形態では、盗難とみなす十分な時間で、なおかつ、盗難の際に直ぐに警告を発動できる時間として上記の５秒を設定している。しかし、本発明はこの時間に限定されるものではない。
【００５７】
このように、本実施の形態の盗難防止装置１００、２００によれば、接続相手のＨＤＭＩ規格を備えたＡＶ機器（ＨＤＭＩ機器）からＨＤＭＩケーブルを介して送信されるＨＰＤ信号又は＋５Ｖを利用して監視し、５秒以上入力されない時には接続相手のＨＤＭＩ機器が接続を解除されて盗難されたと判断して警告音や警告表示により盗難を報知するようにしたため、簡単な構成により盗難を防止することができる。
【００５８】
なお、本発明は以上の実施の形態に限定されるものではなく、例えば、ステップＳ２１における比較する２つのｋｓｖの値が不一致のときの処理は、デジタルビデオ信号やアナログビデオ信号の出力の停止としたが、これに限らず、操作入力を受け付けない、あるいは正常に再生することができないビデオ信号を出力するなどの方法でもよく、要はＡＶ動作機能の少なくとも一部を制限する処理であればよい。
【００５９】
また、本発明は図５のフローチャートに示す動作をコンピュータにより実行させる盗難防止プログラムも包含する。この場合、盗難防止プログラムは記録媒体から再生されてコンピュータに取り込まれてもよいし、サーバーからネットワークを介して配信されてコンピュータにダウンロードされてもよい。
【符号の説明】
【００６０】
１００、２００  盗難防止装置
１０１、２０１  ＨＤＭＩ（ＨＤＣＰ）認証処理部
１０２、２０２  ｋｓｖ抽出／比較部
１０３、１０５  出力許可スイッチ
１０４、２０４  電圧検出部
１０６、２０６  不揮発性メモリ
１０７、２０７  防犯設定制御／表示部
１０８、２０８  警報音（警報表示）発生部
２０３、２０５  入力許可スイッチ
３００  ＨＤＭＩケーブル
３０１  ＋５Ｖ伝送ライン
３０２  ＨＰＤ信号伝送ライン
３０３  ＤＤＣライン
３１０  アナログケーブル
【図１】
2012038183.tif 000003
【図２】
2012038183.tif 000004
【図３】
2012038183.tif 000005
【図４】
2012038183.tif 000006
【図５】
2012038183.tif 000007
【図６】
2012038183.tif 000008